Podtech/llm-jp-corpus-v4-ja_patent huggingface dataset:
(57)【要約】【課題】  本発明はマスク収納具に係るものであり、特に使用中のマスクを外した際にそのマスクを入れておく場所に困った経験から衛生面を考慮したこれまでにない観点からなるマスク収納具として考案したものである。【解決手段】  本発明のマスク収納具内側面（２）に抗菌、防臭加工された素材、外側面（３）に通気性と張りを持つ素材を組合せて物入れ形状を持たせ、上辺の左右先端部（ａ，ｂ、）を留め、また上、左、右の３方向からマスクが簡単に出し入れできると言うこれまでにないアイデア性とデザイン性を持たせた収納具（１）として考案した。予備のマスク収納具としても使用可能であり、バックやポケットに入れていつでもマスクを清潔に安心して持ち歩ける収納具とした。【選択図】図１
2010179074.tif 000002
【特許請求の範囲】
【請求項１】
収納具本体（１）の内側面に抗菌、防臭加工された素材（２）を使用、外側面（３）には通気性のある素材を使用し、軽くて簡単に持ち運びが出来、３方向（上、左、右）から出し入れ可能なデザイン性を持つ形状を特徴とする、マスクを衛生的に保管するための収納具。
【発明の詳細な説明】
【技術分野】
【０００１】  本発明は布や紙、木、金属片、プラスチック等々抗菌、防臭加工されたマスク収納具として適する素材、さらにメッシュなど通気性のある素材を使用したマスクを衛生的に保持、保管するための収納具（１）である。特に使用中のマスクを外した際に外側面（３）にはすでにウイルスや雑菌などが付着している可能性が多々あり、内側面（２）は吐く息のために湿度がこもり、そのままの状態でポケット、バック、プラスチックの入れ物、ハンカチ等々に収納するのは目に見えない菌の温床となり不衛生であった。花粉症に悩む人にとってもマスクの使用は必須であるが使用頻度も多いため３方向（Ａ）（Ｂ）（Ｃ）から自由に出し入れが出来る形状を付け加えた収納具とした。収納具（１）には薄型形状を持たせ市販されている１５種類のマスクの平均値からマスク収納具の大きさを縦１０ｃｍ〜１２ｃｍ、幅１０ｃｍ〜１５ｃｍまでを標準とし、それ以外に各種マスクの形状に合わせた大きさで製造も可能とした。ポケット、バックなどに入れて衛生的に持ち運べる、保持、保管できる特長を持つ画期的マスク収納具である。
【背景技術】
【０００２】  従来様々なマスクの収納具として未使用のマスクを入れる収納具はあるが、特に使用中のマスクをも限定し一時外した際の置き場所として考慮したマスクの収納具は存在しない。
【問題を解決するための手段】
【０００３】  抗菌、防臭加工された素材を内側面（２）に使用し、外側面（３）には通気性のある素材を重ねて折り合せ開口部を３箇所に設けるためにその収納具の上辺左右の先端部（ａ，ｂ）を留めた形状とし自由に上側（Ａ）、左側（Ｂ）、右側（Ｃ）の３方向からマスクを出し入れ可能な収納具（１）とし縫製、接着、型押し、その他様々な方法を用いて製造可能なものとした。
【０００４】  外したマスクは、菌など付着するマスクの外側面をマスク収納具の抗菌加工部に接するように収納する事で、収納具内側面に取り付けた抗菌、防臭加工された素材によって菌の繁殖を予防する役目を持たせた収納具である。
【発明を実施するための最良の形態】
【０００５】  以下、本発明に関する図面を持って具体的に説明する。
図１は本発明の収納具全体図（１）であるが収納具の上側（Ａ）、左側（Ｂ）右側（Ｃ）はマスクの出し入れ口である。マスク収納具上辺の左右先端（ａ、ｂ）は留め部位となる。収納具内側面（２）に抗菌、防臭素材を用い、外側面（３）には通気性と張りを持たせる素材を使用した。
【実施例】
【０００６】  本発明は株式会社信州セラミックス社が特許取得した光ハイブリット触媒抗菌、防臭不織布を考案者が使用する許可を得て開発したマスク収納具に係るものであり、特に使用中のマスクを外した際にそのマスクを一時的に入れておく場所に困った経験から衛生面を考慮したこれまでにない観点からなるマスク収納具として考案したものである。予備のマスク収納具としても使用可能であり、デザイン性にすぐれ、形状も単純でありながら３方向から出し入れ出来ると言うこれまでにないアイデア性を持たせ、バックに入れてもポケットに入れても清潔で安心して持ち歩ける収納具となった。
【図面の簡単な説明】
【０００７】
【図１】本発明の全体図である。
【符号の説明】
【０００８】  Ａ．マスク収納具上方向出し入れ口
Ｂ．マスク収納具左方向出し入れ口
Ｃ．マスク収納具右方向出し入れ口
（１）収納具
（２）マスク収納具内側面
（３）マスク収納具外側面
（ａ）（ｂ）マスク収納具の留め部
（４）折りたたんだマスクの収納例
【図１】
2010179074.tif 000003
(57)【要約】【課題】普段履きなれた靴を少し違った感じにしようと思ったとき。他人と違った靴のおしゃれをするには、オーダーメイドで靴を注文する必要があるが、それができず、簡単におしゃれをするとき。普段履きの靴をおしゃれ履きに変えたいとき。大勢が靴を脱ぐ場所で、決まった下足箱がない場合、同じような靴が多い中で、間違えず自分の靴を探すとき。【解決手段】靴にアクセサリー、宝石、ビーズなどを付属する。靴に固有の物を付属する。造形物（花、コサージュ、バッジ、モチーフなど）をクリップ、安全ピン、洗濯ばさみ状のはさむ物、紐などで、靴または靴ひもに付ける。名札替わりに使用する場合は、安価なモチーフで作る。造形物の裏側、もしくは靴に付属するための物に、名前またはイニシャルをいれる。【選択図】図１
2010179076.tif 000002
【特許請求の範囲】
【請求項１】
靴飾りに、造形物（花、コサージュ、バッジ、宝石、ビーズ、いろいろな形・色・柄のモチーフなど）を設ける。これに靴に付属する部品（シューズクリップ、安全ピン、靴ピンと靴ピンおさえ、紐など）を設けた、靴につけるものに関するもの。
【発明の詳細な説明】
【技術分野】
【０００１】造形物（花、コサージュ、バッジ、いろいろな形、色、柄のモチーフなど）を靴に付ける。造形物に、靴に付けるための物（シューズクリップ、安全シュピン、靴ピンと靴ピンおさえ、紐など）を設ける。造形物と靴に付属するための物は数種類の中から好みの物を選べ、いくつかの物を構成してそれぞれのセンスで固有の飾りを作ることができる。
靴ピンの表側にはモチーフを付ける。靴ピンと靴ピンおさえの使用方法は図１のｊ，ｋのように、靴の表側から靴ピンを通し、靴の裏側から靴ピンおさえをキャップのように靴ピンにかぶせる。靴ピンおさえの形状は丸型、四角型、三角形、花形など。
靴紐クリップは靴紐の先端にクリップをはさむ。また、靴紐穴を通した靴紐と靴紐の先端部分を束ねてはさむこともできる。
造形物に設けた付属する部分（ゴムまたはワイヤーなど）をクリップなどの凹部分（図ｉ）にかけるとはずれづらい。
靴紐飾りは、靴紐穴に通した靴紐の間に、靴紐飾りの紐を通し結ぶ。
飾りとは別に、イニシャルシール、ひらがなシールを付け、造形物の裏側、もしくは靴に付属するための物（クリップなど）に、名前またはイニシャルをいれる。
【発明の開示】
【発明が解決しようとする課題】
【０００２】普段履きなれた靴を少し違った感じにしようと思ったとき。
他人と違った靴のおしゃれをするには、オーダーメイドで靴を注文する必要があるが、それができず、簡単におしゃれをするとき。
普段履きの靴をおしゃれ履きに変えたいとき。
大勢が靴を脱ぐ場所で、決まった下足箱がないとき、同じような靴が多い中で、間違えず自分の靴を探すとき。
【課題を解決するための手段】
【０００３】靴にアクセサリー、宝石、ビーズなどを付属する。
靴に固有の物を付属する。
造形物（花、コサージュ、バッジ、モチーフなど）をクリップ、安全ピン、洗濯ばさみ状のはさむ物、紐などで、靴または靴ひもに付ける。
名札替わりに使用する場合は、安価なモチーフで作る。
造形物の裏側、もしくは靴に付属するための物に、名前またはイニシャルをいれる。
【発明の効果】
【０００４】市販の靴が固有の物になり、それぞれの好きなおしゃれができる。
履きなれた靴を、いつもと違った感じにすることができる。
大勢が靴を脱ぐ場所で、決まった下足入れがない場合でも、容易に靴を探すことができる。
【産業上の利用可能性】
【０００５】靴飾り
シューズアクセサリー
靴紐飾り
名札付き靴飾り
【図面の簡単な説明】
【０００６】
【図１】靴飾り、シューズアクセサリー、靴紐飾り、名札付き靴飾りである。
【符号の説明】
【０００７】ａシューズクリップ
ｂシューズアクセサリー
ｃ紐
ｄゴム
ｅモチーフ板
ｆモチーフ
ｇ靴紐
ｈイニシャルシール、ひらがなシール
ｉクリップの凹部分
ｊ靴ピン
ｋ靴ピンおさえ
ｌ靴紐クリップ
ｍ靴紐飾り（ひも）
【図１】
2010179076.tif 000003
(57)【要約】【課題】草履、下駄を履くと、鼻緒があたったり、擦れたりして、足の親指と人差し指の間が痛むことが多く、歩くのが辛かったり、長時間履いていることが苦痛なことがあった。また、下駄、草履の素材や形状により、足が痛くなったり、転び易かったりすることがあるので、子供が草履、下駄を履くのを嫌がる場面もあった。【解決手段】・鼻緒を足指の間に通さなくても履くことのできる形状。・足裏が当たる部分のクッション性を良くする。・歩きやすく、長時間履いても足が痛くなりづらい、サンダル、靴の形状にする。【選択図】図１
2010179077.tif 000002
【特許請求の範囲】
【請求項１】
サンダル型、ビーチサンダル型、運動靴型で、鼻緒に関しては装着しないタイプと鼻緒は装着するが足の指の間を通さない形状の、下駄底部分が幅広で安定感のあるもしくは下駄底を付けない、着物または浴衣を着用したときに履くサンダルと靴。
【発明の詳細な説明】
【技術分野】
【０００１】Ｉ着物・浴衣サンダル
靴底の側面に、靴の踵を安定させるためのバンドを付ける。靴とバンドを接続するために、ホック、ボタン、面ファスナー、ゴムなどを使用する。
（つま先部分は５種類）
１．つま先部分は覆わず、甲の一部分を抑える形のもの。（ａ）
２．つま先部分は覆わず、甲の一部分が左右に分かれていて、面ファスナーで接続する形の物。（ｂ）
３．つま先部分は覆わず、甲の一部分を抑える形のもので、甲の部分に鼻緒の先端を付け、靴底の横に接続したもの。（ａあ）
４．１本ずつ指が入るように、アーチ型の細い物を設けたもの。足指をアーチにくぐらせる。（アーチ部分は柔らかく指に負担のかからない素材。
例：紐状の布の周囲にシリコン樹脂、柔らかいプラスティックなどを厚めにコーティングしたもの）
親指部分のアーチ上部から側面にかけて、飾りの鼻緒を付ける。（ｃ）
５．つま先部分から甲にかけて覆い、踵部分と一体している足首前のバンドを設け、面ファスナーなどで接続する形の物。（ｄ）
（靴底表）
木板、ゴム、プラスティック、シリコン、ゴム、布など適宜素材で作る。靴本体の足指が触れる部分（ｅ１）は足指の形に凹ませる。土踏まずのあたる部分（ｅ２）は土踏まずの形に膨らませる。つまり全体を足の裏の形に凸凹させる。（ｅ５）は足袋の形に凹ませた部分で、（ｅ４）は凸部分。
（ｅ１、２）は滑り止めで、接着剤にプラスティックやシリコン、ゴムなどを混ぜたものを塗布する。（ｅ３）は土踏まずの形に膨らませた部分。
（靴底裏）
木板のほかに、ゴム、プラスティック、シリコン、ゴムなど適宜素材で作る。
靴底は下駄のように前後に板を付ける物と付けない物がある。
ヒールも付ける物と付けない物がある。
つまずいて転びづらくするため、つま先部分はすこしなだらかに上向きにするものもある。足首のバンド（面ファスナー又はホック付き）は付けても付けなくても良い。
スポーツ型のサンダルは和柄にする。
（ａ５）は滑り止めブレーキ部分で、下駄底部分が厚い場合に取り付けるが、歩くときに前のめりにならないようにするものである。適宜素材。
ＩＩ着物・浴衣靴
靴底（ｄ３）に本体（ｄ１）を付ける。
足首の前にバンド（ｄ２）を設け、これはスナップ、ボタン、面ファスナーなどで固定する。バンド（ｄ２）はゴムだけでも良い。
（ｄ２）のバンドは（ｂ３）の形状でも良い。
本体（ｄ）は和風の柄にする。
靴本体の足指が触れる部分（ｅ１）は足指の形に凹ませる。土踏まずのあたる部分（ｅ２）は土踏まずの形に膨らませる。全体を足の裏の形に凸凹させる。
足の裏のつま先部分があたる部分は滑り止めとして、プラスティックやシリコン、ゴムなどを使用する。
つまずいて転びづらくするため、つま先部分はすこしなだらかに上向きにするものもある。足首のバンド（面ファスナー又はホック付き）は付けても付けなくても良い。
【発明の開示】
【発明が解決しようとする課題】
【０００２】  草履、下駄を履くと、鼻緒があたったり、擦れたりして、足の親指と人差し指の間が痛むことが多く、歩くのが辛かったり、長時間履いていることが苦痛なことがあった。また、下駄、草履の素材や形状により、足が痛むことがあった。
七五三、正月、夏祭りなど、子供が草履、下駄を履くときに、転び易かったり、足が痛くなることがあった。
【課題を解決するための手段】
【０００３】  ・鼻緒を足指の間に通さなくても履くことのできる形状にする。
・足裏が当たる部分に適度なクッション性を持たせる。
・つま先部分をすこしだけなだらかに上向きにする。
【発明の効果】
【０００４】  指の間に鼻緒を通さないので、鼻緒があたったり、擦れたりして指の間が痛むことがない。
踵、足首に固定する物がついているので、脱げづらく、歩きやすい。幼い子供でも歩きやすく、転びづらい。
【産業上の利用可能性】
【０００５】  足が痛くなりづらい着物・浴衣サンダル、着物・浴衣靴。
七五三用・正月用着物・浴衣サンダル、着物・浴衣靴。
和柄サンダル、和柄運動靴
【図面の簡単な説明】
【０００６】
【図１】着物・浴衣サンダル、着物・浴衣靴の平面図と側面図である。
【図２】（５本足指おさえ付き）着物・浴衣サンダルの平面図と側面図である。
【図３】着物・浴衣運動靴の平面図と側面図である。
【図４】靴底の内側の図である。
【符号の説明】
【０００７】ａバンド付きサンダル（側面図）
１、甲おさえ部分  ２、バンド  ３、下駄底  ４、鼻緒
ｂ和柄スポーツ型サンダル（側面図、上面図）
１，下駄底  ２、甲おさえ  ３、バンド
ｃ５本足指おさえ付きサンダル（上面図、側面図）
１、足指おさえ部分  ２、バンド  ３、かかとバンド
ｄ和柄運動靴
１、運動靴本体  ２、足首前バンド  ３、下駄底
ｅ靴底の表
足の裏の形に凸凹したところ
１、指の凹み部分  ２、土ふまずの凸部分
ｆ靴底の表
足袋の形に凹ませたところ
１，滑り止め（プラスティック、シリコン、ゴム類）を塗布したところ
（形は○など図形）
２、滑り止め（プラスティック、シリコン、ゴム類）を塗布したところ
（形は動物柄、花柄、ストライプ、チェックなど）
３、土踏まずの凸部分
４、足袋のまわりの凸部分
【図１】
2010179077.tif 000003
【図２】
2010179077.tif 000004
【図３】
2010179077.tif 000005
【図４】
2010179077.tif 000006
(57)【要約】【課題】編み目を利用して花茎を固定し、センターピンを利用してスパイラルを作る花束形成用具を提供する。【解決手段】ストリングス（１）２枚を直角に重ね櫛形バー（３）に設置したもの上下に２組、中心にセンターピン（２）を立てたスタンドを特徴とする。【選択図】図４
2010179073.tif 000002
【特許請求の範囲】
【請求項１】
２つのストリングスを櫛形バーを使って直角にに重ねて編み目を作ったものを上下に２組、中心にセンターピンを設置したスタンド。
【発明の詳細な説明】
【技術分野】
【０００１】この発明は、編み目構造を利用し支柱を中心にして確実なスパイラル構造を持つ花束の形成を目的とした「花束形成用具」である。
【背景技術】
【０００２】従来、花束作成の過程は花束の広がりを維持するための熟練を要するスパイラル構造を、制作者本人の片手の手のひらで維持しながら結束するまで握り通すのが通常である。
【発明の開示】
【発明が解決しようとする課題】
【０００３】これは次のような欠点があった。
（イ）花束の広がりを維持する理想的なスパイラル構造は片手の手のひらの中では出来ない。大きな花束になればなるほど難しい。
（ロ）制作途中、作業距離をとって全体を観る事は出来ない。
（ハ）一度に複数の花束は出来ない。
（ニ）職業病といえる腕の疲れ、腱鞘炎は避けられない。
本発明は、以上のような欠点をなくすためになされたものである。
【課題を解決しようとするための手段】
【０００４】２つのストリングス（１）を櫛形バー（２）に設置、直角に組み合わせ編み目を作った、上下２組とセンターピン（３）を固定したスタンド。
本発明は以上の構成になる花束作成器具である。
【発明の効果】
【０００５】本発明の形成器具を使うことによって手で握りながらスパイラル構造や任意の形態を作る従来の高度な技術は必要でなくなり、経験のない人でも感覚だけでセンターピンを意識しながら簡単に花茎を差し込み固定させることでスパイラル構造を持った花束が出来る。また、卓上に用具を数台置くことで一人で同時に複数の花束が作成できる。そして職業病からも解放される。
【発明を実地するための最良の形態】
【０００６】柔軟性のあるストリングスを使用することでいろいろな花茎の太さに対応でき、その２つを直角に重ね櫛型バーを利用して編み目を作り、それを上下２組を平行にセットしセンターピンを設置したスタンドを形成用具とする。結束はゴムバンドにて完成後、ストリングスを外し花束をセンターピンから抜く。
【実施例】
【図面の簡単な説明】
【０００７】
【図１】  本発明のストリングスの図である。
【図２】  本発明のストリングスを櫛形バーに設置した図である。
【図３】  センターピンを中心に花茎を挿入した図である。
【図４】  ストリングスとセンターピンから構成する本発明スタンドの全体図である。
【符号の説明】
【０００８】１  ストリングス
２  センターピン
３  櫛形バー
【図１】
2010179073.tif 000003
【図２】
2010179073.tif 000004
【図３】
2010179073.tif 000005
【図４】
2010179073.tif 000006
(57)【要約】【課題】木質破片は、廃棄物として費用がかかるようになり、その処分方法も焼却処分となるため環境への負荷が懸念される。本発明は、木地質チップを主原料に用いて準不燃性を備えた木質ボードの製造可能を提供する。【解決手段】木質繊維の特性を有効活用し、無機質繊維状の不燃材料及び熱硬化性樹脂系を混合、添加成形し熱圧にて硬化させる。【特許請求の範囲】
【請求項１】
木質チップを主原料に用い不燃性難燃剤を添加混合したことを特徴とする難燃性木質ボード。
【請求項２】
請求項１記載の不燃性を混合成形し硬化させた難燃性木質ボードの製造方法。
【請求項３】
基材に難燃剤及び不燃材料を添加、混合し熱圧締めを特徴とする木質ボードの製造方法。
【請求項４】
請求項１〜３の部材にアルミ二ウムはくを活用することを特徴とする建築材及びその製造方法。
【請求項５】
廃棄物の古紙を破砕し木質チップの代替材として請求項１〜４の難焼性建築材及びその製造方法。
【発明の詳細な説明】
【技術分野】
【０００１】本発明は、難燃性で補強された木質ボード成形品とその製造方法に関する。
【背景技術】
【０００２】昨今まで建築廃材、木質チップは利活用されている。そして各用途でもって再利用をしている。【０００３】木質チップの熱圧成形ボードの製造方法がある。しかし、耐摩擦性、親和性、耐火性、耐熱性、断熱性、防音性、耐薬品性、絶縁性、耐腐食性、経済性を持ち合わせている木質ボードは得られていない。【０００４】本発明は、上記について解決する難燃性木質ボード。【０００５】本発明の特徴を全て持ち合わせる素材は、合成物質には無い。【０００６】本発明の難熱性木質ボードは、耐摩擦性、親和性、耐火性、耐熱性、断熱性、防音性、耐薬品性、絶縁性、耐腐食性、経済性を持ち合わせている。
【発明の開示】
【発明が解決しようとする課題】
【０００７】昨今まで建築用部材の補強用として壁材、間仕切り材の補強材として使用された木質ボードには、耐摩擦性、親和性、耐火性、耐熱性、断熱性、防音性、耐薬品性、絶縁性、耐腐食性、経済性を持ち合わせており多用途に大量に使用された。しかしながら健康被害や衛生上有害と認識され現在では使用及び製造の禁止となっており機能を有しながら衛生上の問題を起こさない代替となる材料が求められている。【０００８】産業廃棄物の木質の破片は、昨今自然のサイクルからはずされ廃棄物として費用がかかるようになり、その処分方法も焼却処分となるため環境への負荷が懸念される。
【課題を解決するための手段】
【０００９】木質の特性と同等の性質をもつ建築材料として用いることを可能とするために機能性を持つ木質チップや、従来廃棄物である建設廃材との難燃剤混合で成形する工程を特徴としている。
【発明の効果】
【００１０】本発明は、耐摩擦性、親和性、耐火性、耐熱性、断熱性、防音性、耐薬品性、絶縁性、耐腐食性の効果、機能を発揮する硬化形成の難燃性木質ボードを可能とした。廃棄費用のかかる木質チップを材料として組み合わせることで軽量化、経済性、および環境に配慮した建築材料として提供する。
【発明を実施するための最良の形態】
【００１１】粉砕機で木質をチップにし難燃剤，不燃材の混合物体をつくる。次にこの混合物体を硬化成形し難燃性木質ボードとする。
【産業上の利用可能性】
【００１２】本発明の難燃性木質ボードは、従来使用されたボードに無い難燃性、不燃性が要求される間仕切壁、内装材や外装や化粧スレートなどの用途の建材としての可能性。【００１３】本発明の難燃性木質ボードには、難燃剤、熱軟化性樹脂を含有構造を有していることから耐水性、耐湿性、断熱性、耐熱電気絶縁などの特性に優れ多用途の可能性をもつ。
(57)【要約】【課題】  ノートの防水性能や保護性能を高めるため、または暗記の際に文字を簡単に消すことができるように、またはノートに付着させたいものを簡単に付着させられるように、ノートの各用紙にフィルムを添付したフィルム付きノートを提供する。【解決手段】  ノートの各用紙（１）の両面に透明な剥離紙（３）付きのフィルム（２）を添付したフィルム付きノートを特徴とする。【選択図】図１
2010234793.tif 000002
【特許請求の範囲】
【請求項１】
ノートの各用紙にフィルムを添付した、フィルム付きノート。
【発明の詳細な説明】
【技術分野】
【０００１】  この発明は、ノートの各用紙に上から文字を記載できるフィルム等を添付したフィルム付きノートに関するものである。
【背景技術】
【０００２】  従来、ノートは紙のみで構成されたものであった。
【発明の概要】
【発明が解決しようとする課題】
【０００３】  これは、次のような欠点があった。
（イ）防水性がないため、雨天時や風呂場等で使用することができなかった。
（ロ）紙が黄ばんでくる、紙同士の擦れ合い等によって鉛筆によって書かれた文字が消えてきてしまう等、情報を保存する性能が低かった。
（ハ）下敷きを敷かなければ、裏面に文字がうつってしまっていた。
（ニ）暗記をする際には、文字が消えるような特殊なペン等を用いなければならなかった。
（ホ）写真等を添付するには、別途糊等を用いなければならず、また安定して添付することは難しかった。
本発明は、以上のような欠点をなくすためになされたものである。
【課題を解決するための手段】
【０００４】  ノートの各用紙（１）に、透明の剥離紙（３）付きで、かつ筆記具により記載可能な透明フィルム（２）を、挟み込むように添付する。剥離紙（３）を剥がせば、フィルム（２）を各用紙（１）に付着させることもできる。
本発明は、以上の構成よりなるフィルム付きノートである。
【発明の効果】
【０００５】  （イ）フィルムをノートに付着させれば、防水効果を得られるため、雨天時や風呂場でも使用することができる。
（ロ）フィルムをノートに付着させれば、風化や紙同士の擦れ合いを防ぐこともできるため、防水と共に高い保存効果を得ることができる。
（ハ）下敷きを敷かなくとも、フィルムによって文字が裏面にうつるのを防ぐことができる。
（ニ）フィルムには文字を記載することができるため、剥離紙を剥がさず、暗記したい部分をフィルムのみに記載する、または暗記したい部分の上部に当たるフィルムをマジックインキ等で塗りつぶすことで、効率的に暗記を行うことができる。
（ホ）ノートとフィルムの間に写真等を入れてフィルムをノートに付着させれば、そのまま写真等を安定してノートに添付することができる。
（ヘ）フィルム部に絵を記載する等、装飾として扱うこともできる。
（ト）フィルムをトレーシングペーパーと同様に扱うことで、建築図面等の用途にも応用することができる。
【図面の簡単な説明】
【０００６】
【図１】  ノートを開いた状態での全体斜視図である。
【図２】  ノートの用紙一枚の末端部分の拡大断面図である。
【図３】  ノートの中心部分の拡大断面図である。
【発明を実施するための形態】
【０００７】以下、本発明を実施するための形態について説明する。
ノートの各用紙（１）を挟み込むような形で、ポリプロピレン等でできた透明の剥離紙（３）付きで、かつ筆記具により記載可能な塩化ビニール等でできた透明フィルム（２）をつづり、一冊のノートを作成する。フィルム（２）と剥離紙（３）の間には接着剤（４）が付着しているため、具体的には、フィルム（２）、接着剤（４）、剥離紙（３）、ノート用紙（１）、剥離紙（３）、接着剤（４）、フィルム（２）、フィルム（２）、接着剤（４）、剥離紙（３）、ノート用紙（１）という順序でつづられていく構造のノートとなる。剥離紙（３）は、剥がすことができるようにノートの中央、つづり部分が、フィルム（２）やノート用紙（１）、接着剤（４）より短くなっている。
本発明は、以上のような構造である。
また、他の形態としては、ノートのつづり部分と逆側でノート用紙（１）とフィルム（２）が接着されているもの等がある。
これらを使用する時には、ノートに文字等を記載し終えた際に、剥離紙（３）を剥がし、ノート用紙（１）に貼り付けを行えばよい。または、貼り付けを行わず、フィルム（２）上に文字等を書いて、ノート用紙（１）の上に置いたり外したりしながら暗記等を行えばよい。
【符号の説明】
【０００８】１  ノート用紙
２  フィルム
３  剥離紙
４  接着剤
【図１】
2010234793.tif 000003
【図２】
2010234793.tif 000004
【図３】
2010234793.tif 000005